(57)【要約】【課題】簡単な構造で且つ薄型化並びに小型化を図りつつ、カードの返却タイミングをコントロールし得、用途を広げることができる非接触型ＩＣカードリーダのガイド装置を提供する。【解決手段】カード２を縦向きに挿入するカード挿入口３と、該カード挿入口３から縦向きに挿入されたカード２の情報を読み取るカード読取部４と、該カード読取部４にカード２を保持し且つ利用者が要求される操作を完了した時点でカード２を重力により縦向きから横向きに回転させつつ自由落下させるカード返却タイミング制御手段５と、該カード返却タイミング制御手段５によって自由落下させられた横向きのカード２を排出するカード排出口６と、該カード排出口６から排出された横向きのカード２を受けて利用者に返却するためのカード返却部７とを備える。【選択図】図２
2005352741.tif 000002
【特許請求の範囲】
【請求項１】
ケース内に挿入されたカードの情報を読み取った後、該カードを利用者に返却するよう構成した非接触型ＩＣカードリーダのガイド装置であって、
カードを縦向きに挿入するカード挿入口と、
該カード挿入口から縦向きに挿入されたカードの情報を読み取るカード読取部と、
該カード読取部にカードを保持し且つ利用者が要求される操作を完了した時点でカードを重力により縦向きから横向きに回転させつつ自由落下させるカード返却タイミング制御手段と、
該カード返却タイミング制御手段によって自由落下させられた横向きのカードを排出するカード排出口と、
該カード排出口から排出された横向きのカードを受けて利用者に返却するためのカード返却部と
を備えたことを特徴とする非接触型ＩＣカードリーダのガイド装置。
【請求項２】
カード返却タイミング制御手段を、縦向きのカードの下縁一端部を支承する固定支承ピンと、突出時にカードの下縁他端部を支承し且つ引き込み時に該カードの下縁他端部の支承状態を解除する可動支承ピンと、該可動支承ピンを突出状態と引き込み状態に切り換える可動支承ピン切換駆動装置とから構成した請求項１記載の非接触型ＩＣカードリーダのガイド装置。
【請求項３】
可動支承ピン切換駆動装置を、可動支承ピンを常時突出させる方向へ付勢する支承用弾性部材と、該支承用弾性部材の付勢力に抗して可動支承ピンを引き込ませる支承用ソレノイドとから構成した請求項２記載の非接触型ＩＣカードリーダのガイド装置。
【請求項４】
カード挿入口に、カードが既に挿入されている場合に別のカードが挿入されることを防ぐカード挿入規制手段を設けた請求項１〜３いずれかに記載の非接触型ＩＣカードリーダのガイド装置。
【請求項５】
カード挿入規制手段を、突出時にカードの挿入を阻止し且つ引き込み時にカードの挿入を可能とする可動挿入規制ピンと、該可動挿入規制ピンを突出状態と引き込み状態に切り換える可動挿入規制ピン切換駆動装置とから構成した請求項４記載の非接触型ＩＣカードリーダのガイド装置。
【請求項６】
可動挿入規制ピン切換駆動装置を、可動挿入規制ピンを常時突出させる方向へ付勢する挿入規制用弾性部材と、該挿入規制用弾性部材の付勢力に抗して可動挿入規制ピンを引き込ませる挿入規制用ソレノイドとから構成した請求項５記載の非接触型ＩＣカードリーダのガイド装置。 
【発明の詳細な説明】
【技術分野】
【０００１】
本発明は、非接触型ＩＣカードリーダのガイド装置に関するものである。
【背景技術】
【０００２】
従来のＩＣカードリーダは、主に、カード挿入排出口からケース内に挿入されたカードを、該ケースに内蔵されたモータドライブユニットによってスライド移動させつつ、カードに記録された情報を読み取り（必要に応じて情報を書き込むこともある）、この後、前記カード挿入排出口からカードを排出して利用者に返却するようにした、いわゆる接触型のものが多く用いられていた。
【０００３】
しかしながら、このような接触型のＩＣカードリーダでは、カードの移動ストロークが必要になるため、装置の全長をカードの縦方向長さの二倍以上取らなければならなくなると共に、モータドライブユニットをケースに内蔵する必要があるため、厚みも増し、装置全体が大型化してしまい、更に制御も複雑になるという欠点を有していた。
【０００４】
一方、近年においては、カードをアンテナユニットに翳すだけでカードに記録された情報を読み取るようにした非接触型のＩＣカードリーダが開発されている。
【０００５】
前記非接触型のＩＣカードリーダの場合、カードの移動ストロークが不要になるため、装置の全長を短くできると共に、モータドライブユニットをケースに内蔵する必要がないため、厚みも薄くて済み、装置全体を小型化できるメリットがある。
【０００６】
尚、ＩＣカードリーダの一般的技術水準を示すものとしては、例えば、特許文献１、特許文献２、及び特許文献３がある。
【特許文献１】特開２０００−２４２７３７号公報
【特許文献２】特開平８−２６３６０２号公報
【特許文献３】特開平９−１２８４９４号公報
【発明の開示】
【発明が解決しようとする課題】
【０００７】
ところで、マンションにおける立体駐車場のように、特定の居住者に専用のパレットが割り当てられているような場合、立体駐車場の操作盤にＩＣカードリーダを組み込むと共に、特定の居住者に配布されるカードにパレット番号等の各種情報を予め記録しておき、前記ＩＣカードリーダにカードの情報を読み取らせることにより、専用のパレットを入出庫口に呼び出して自動車の入出庫を行うシステムが提案されている。
【０００８】
ここで、仮に非接触型のＩＣカードリーダを立体駐車場の操作盤に組み込み、そのアンテナユニットにカードを翳すだけでカードに記録された情報を読み取り、専用のパレットを入出庫口に呼び出せるようにした場合、特に、自動車の出庫の際には、自分の自動車に乗り込んだ居住者が、入出庫口の扉を閉めずにそのまま立体駐車場から出て行ってしまう虞がある。
【０００９】
このため、前述の如きシステムの場合、例えば、自動車の入庫の際には、ＩＣカードリーダにカードを入れてその情報を読み取らせ、専用のパレットを入出庫口に呼び出して自分の自動車を入庫し、自動車から降りて入出庫口の扉を閉めた時点で、前記カードを返却する一方、自動車の出庫の際には、ＩＣカードリーダにカードを入れてその情報を読み取らせ、専用のパレットを入出庫口に呼び出して自分の自動車に乗り込み、自動車を出庫し、自動車から一旦降りて入出庫口の扉を閉めた時点で、前記カードを返却するといったように、カードの返却タイミングをコントロールする必要がある。
【００１０】
このように、カードの返却タイミングをコントロールするという点だけを見た場合、従来の接触型のＩＣカードリーダは、優れているものの、立体駐車場の操作盤に組み込むことが大きさの面から制約を受けるため、実用化は困難となる。
【００１１】
これに対し、非接触型のＩＣカードリーダの場合、小型化できるため、立体駐車場の操作盤に組み込む上では問題ないが、カードの返却タイミングをコントロールするという点においては、最適なガイド装置を新たに開発する必要があった。
【００１２】
本発明は、斯かる実情に鑑み、簡単な構造で且つ薄型化並びに小型化を図りつつ、カードの返却タイミングをコントロールし得、用途を広げることができる非接触型ＩＣカードリーダのガイド装置を提供しようとするものである。
【課題を解決するための手段】
【００１３】
本発明は、ケース内に挿入されたカードの情報を読み取った後、該カードを利用者に返却するよう構成した非接触型ＩＣカードリーダのガイド装置であって、
カードを縦向きに挿入するカード挿入口と、
該カード挿入口から縦向きに挿入されたカードの情報を読み取るカード読取部と、
該カード読取部にカードを保持し且つ利用者が要求される操作を完了した時点でカードを重力により縦向きから横向きに回転させつつ自由落下させるカード返却タイミング制御手段と、
該カード返却タイミング制御手段によって自由落下させられた横向きのカードを排出するカード排出口と、
該カード排出口から排出された横向きのカードを受けて利用者に返却するためのカード返却部と
を備えたことを特徴とする非接触型ＩＣカードリーダのガイド装置にかかるものである。
【００１４】
上記手段によれば、以下のような作用が得られる。
【００１５】
カード挿入口からカードを縦向きに挿入すると、該カードは、カード返却タイミング制御手段によりカード読取部に保持され、その情報が読み取られ、この後、利用者が要求される操作を完了すると、その時点でカード返却タイミング制御手段によってカードが重力により縦向きから横向きに回転しつつ自由落下し、カード排出口を経てカード返却部に横向きで排出され、利用者に返却される。
【００１６】
前記非接触型ＩＣカードリーダのガイド装置を、例えば、マンションにおける立体駐車場のシステムに採用した場合、カードの情報を読み取らせ、専用のパレットを入出庫口に呼び出して自分の自動車を入出庫する際に、自動車から降りて入出庫口の扉を閉めない限り、前記カードを返却しないように、その返却タイミングをコントロールすることが可能となり、しかも、カードを単に重力により自由落下させる極めてシンプルな構造であるため、特別なモータドライブユニット等は設けなくて済み、且つカードを縦向きから横向きに回転させているため、上下方向の寸法も長くならず、立体駐車場の操作盤に組み込む上で、厚みや大きさの面で制約を受ける心配もなく、最適なガイド装置となる。
【００１７】
前記非接触型ＩＣカードリーダのガイド装置においては、カード返却タイミング制御手段を、縦向きのカードの下縁一端部を支承する固定支承ピンと、突出時にカードの下縁他端部を支承し且つ引き込み時に該カードの下縁他端部の支承状態を解除する可動支承ピンと、該可動支承ピンを突出状態と引き込み状態に切り換える可動支承ピン切換駆動装置とから構成することができる。
【００１８】
前記可動支承ピン切換駆動装置は、可動支承ピンを常時突出させる方向へ付勢する支承用弾性部材と、該支承用弾性部材の付勢力に抗して可動支承ピンを引き込ませる支承用ソレノイドとから構成することができる。
【００１９】
又、前記非接触型ＩＣカードリーダのガイド装置においては、カード挿入口に、カードが既に挿入されている場合に別のカードが挿入されることを防ぐカード挿入規制手段を設けることが望ましい。
【００２０】
前記カード挿入規制手段は、突出時にカードの挿入を阻止し且つ引き込み時にカードの挿入を可能とする可動挿入規制ピンと、該可動挿入規制ピンを突出状態と引き込み状態に切り換える可動挿入規制ピン切換駆動装置とから構成することができる。
【００２１】
前記可動挿入規制ピン切換駆動装置は、可動挿入規制ピンを常時突出させる方向へ付勢する挿入規制用弾性部材と、該挿入規制用弾性部材の付勢力に抗して可動挿入規制ピンを引き込ませる挿入規制用ソレノイドとから構成することができる。
【発明の効果】
【００２２】
本発明の請求項１〜６記載の非接触型ＩＣカードリーダのガイド装置によれば、簡単な構造で且つ薄型化並びに小型化を図りつつ、カードの返却タイミングをコントロールし得、用途を広げることができるという優れた効果を奏し得る。
【発明を実施するための最良の形態】
【００２３】
以下、本発明の実施の形態を添付図面を参照して説明する。
【００２４】
図１〜図４は本発明を実施する形態の一例であって、ケース１内に挿入されたカード２の情報を読み取った後、該カード２を利用者に返却するよう構成した非接触型ＩＣカードリーダのガイド装置であり、カード２を縦向きに挿入するカード挿入口３と、該カード挿入口３から縦向きに挿入されたカード２の情報を読み取るカード読取部４と、該カード読取部４にカード２を保持し且つ利用者が要求される操作を完了した時点でカード２を重力により縦向きから横向きに回転させつつ自由落下させるカード返却タイミング制御手段５と、該カード返却タイミング制御手段５によって自由落下させられた横向きのカード２を排出するカード排出口６と、該カード排出口６から排出された横向きのカード２を受けて利用者に返却するためのカード返却部７とを備えたものである。
【００２５】
本図示例の場合、前記ケース１は、ベースプレート８の表面に、カバー９を取り付けてなり、該カバー９とベースプレート８との間にカード２が挿入されるようにし、前記カバー９の内面側には、カード挿入口３から挿入されたカード２がカバー９とベースプレート８との間でばたつかないようにするためのカード通過路厚規制板１０を一体に取り付け、該カード通過路厚規制板１０のカード２に触れる面側には、挿入されたカード２が貼り付くことを防ぐための細い針金状のカード貼付防止部材（図示せず）を複数本固着し、更に、前記カバー９の内面側には、カード挿入口３から縦向きに挿入されたカード２が縦向きのまま確実にカード読取部４へ導かれるようにするための案内部材３０，３１を配設してある。前記一方の案内部材３０は、カード挿入口３からカバー９下端部まで延び、他方の案内部材３１は、カード読取部４の上方位置まで延び、そのカード２と接する側の面には、縦挿入案内板３２を一体に取り付ける一方、前記他方の案内部材３１の下側には、カード２が重力により縦向きから横向きに回転しつつ自由落下する際に、その側方への飛び出し等を防いで動きを安定化させるための湾曲案内板３３を設けるようにしてある。
【００２６】
又、前記カード返却タイミング制御手段５は、前記カバー９下端部内面側におけるベースプレート８の表面に、縦向きのカード２の下縁一端部を支承する固定支承ピン１１を固着すると共に、突出時にカード２の下縁他端部を支承し且つ引き込み時に該カード２の下縁他端部の支承状態を解除する可動支承ピン１２を、前記ベースプレート８を貫通するように設け、該可動支承ピン１２を突出状態と引き込み状態に切り換える可動支承ピン切換駆動装置１３を、前記ベースプレート８の裏面側に配置してなる構成を有している。
【００２７】
ここで、前記可動支承ピン切換駆動装置１３は、可動支承ピン１２を常時突出させる方向へ付勢する薄い板バネ等で形成した支承用弾性部材１４と、該支承用弾性部材１４の付勢力に抗して可動支承ピン１２を引き込ませる支承用ソレノイド１５とから構成してある。
【００２８】
又、前記カード挿入口３には、カード２が既に挿入されている場合に別のカード２が挿入されることを防ぐカード挿入規制手段１６を設けるようにしてある。
【００２９】
前記カード挿入規制手段１６は、前記カード返却タイミング制御手段５と略同じ構成を有しており、前記カバー９上端部内面側におけるベースプレート８の表面に、突出時にカード２の挿入を阻止し且つ引き込み時にカード２の挿入を可能とする可動挿入規制ピン１７を、前記ベースプレート８を貫通するように設け、該可動挿入規制ピン１７を突出状態と引き込み状態に切り換える可動挿入規制ピン切換駆動装置１８を、前記ベースプレート８の裏面側に配置してなる構成を有している。
【００３０】
ここで、前記可動挿入規制ピン切換駆動装置１８は、前記可動支承ピン切換駆動装置１３と同様に、可動挿入規制ピン１７を常時突出させる方向へ付勢する薄い板バネ等で形成した挿入規制用弾性部材１９と、該挿入規制用弾性部材１９の付勢力に抗して可動挿入規制ピン１７を引き込ませる挿入規制用ソレノイド２０とから構成してある。
【００３１】
又、前記カード挿入口３の近傍におけるベースプレート８には、貫通孔２１を穿設し、該貫通孔２１を穿設した箇所に、カード２が挿入されたことを検知するためのカードセンサ２２を設けてある。
【００３２】
更に又、前記カード読取部４は、前記ベースプレート８の裏面側にアンテナユニット２３を配設して構成してある。尚、この場合、前記ベースプレート８を鉄等の金属材料ではなく、例えば、ポリカーボネイト等の樹脂材料としておけば、カード２に記録された情報の読み取りに支障を来たすことはない。
【００３３】
又、前記カード返却部７は、カード排出口６の下方位置におけるベースプレート８の表面に、開口部２４が手前側に広がるよう傾斜配置され且つ凹型の切欠部２５が形成されたカード受用枠部材２６を取り付けると共に、カード排出口６から排出されたカード２がベースプレート８表面に貼り付かずに前記カード受用枠部材２６に落ちるようにするための薄い円形の突片２７を固着してなる構成を有している。
【００３４】
次に、上記図示例の作用を説明する。
【００３５】
前述の如く構成した非接触型ＩＣカードリーダのガイド装置を、例えば、マンションにおける立体駐車場のシステムに採用し、該立体駐車場の操作盤に組み込んだ場合、先ず、図示していないセンサにより操作盤の前に人が来たことが検出されると、カード挿入規制手段１６における可動挿入規制ピン切換駆動装置１８の挿入規制用ソレノイド２０の通電による吸引動作により挿入規制用弾性部材１９の付勢力に抗して可動挿入規制ピン１７がカバー９上端部内面側におけるベースプレート８の表面から引っ込み、カード２の挿入が可能となる。
【００３６】
続いて、カード挿入口３からカード２を縦向きに挿入すると、該カード２は、カード返却タイミング制御手段５、即ち、固定支承ピン１１と突出状態に保持されている可動支承ピン１２とによりカード読取部４に保持され、ベースプレート８の裏面側に配設されたアンテナユニット２３によりその情報が読み取られ、専用のパレットが入出庫口に呼び出される。
【００３７】
ここで、カードセンサ２２によってカード２が挿入されたことが検知された場合、前記カード挿入規制手段１６における可動挿入規制ピン切換駆動装置１８の挿入規制用ソレノイド２０の通電による吸引動作が解除され、挿入規制用弾性部材１９の付勢力により可動挿入規制ピン１７がカバー９上端部内面側におけるベースプレート８の表面から突出し、別のカード２が挿入されないようになっている。
【００３８】
自動車の入庫の際には、前記入出庫口に呼び出された専用のパレットに自分の自動車を入庫し、利用者が要求される操作、即ち自動車から降りて入出庫口の扉を閉めると、カード返却タイミング制御手段５における可動支承ピン切換駆動装置１３の支承用ソレノイド１５の通電による吸引動作により支承用弾性部材１４の付勢力に抗して可動支承ピン１２がカバー９下端部内面側におけるベースプレート８の表面から引っ込み、縦向きのカード２の下縁他端部の支承状態が解除され、該カード２が重力により縦向きから横向きに回転しつつ自由落下し、カード排出口６を経てカード返却部７のカード受用枠部材２６に横向きで排出され、利用者に返却される。
【００３９】
又、自動車の出庫の際には、前記入出庫口に呼び出された専用のパレットに載置された自分の自動車に乗り込み、自動車を出庫し、利用者が要求される操作、即ち自動車から一旦降りて入出庫口の扉を閉めると、前述した入庫時と同様、カード返却タイミング制御手段５における可動支承ピン切換駆動装置１３の支承用ソレノイド１５の通電による吸引動作により支承用弾性部材１４の付勢力に抗して可動支承ピン１２がカバー９下端部内面側におけるベースプレート８の表面から引っ込み、縦向きのカード２の下縁他端部の支承状態が解除され、該カード２が重力により縦向きから横向きに回転しつつ自由落下し、カード排出口６を経てカード返却部７のカード受用枠部材２６に横向きで排出され、利用者に返却される。
【００４０】
尚、前記カード２が重力により縦向きから横向きに回転しつつ自由落下する際には、湾曲案内板３３によりその側方への飛び出し等が防止されて動きが安定化する一方、前記カード排出口６から排出されたカード２は、該カード排出口６の下方位置におけるベースプレート８の表面に固着された突片２７により、ベースプレート８表面に貼り付かずに前記カード受用枠部材２６に確実に落ちる形となる。
【００４１】
このように、前記非接触型ＩＣカードリーダのガイド装置をマンションにおける立体駐車場のシステムに採用した場合、カード２の情報を読み取らせ、専用のパレットを入出庫口に呼び出して自分の自動車を入出庫する際に、自動車から降りて入出庫口の扉を閉めない限り、前記カード２を返却しないように、その返却タイミングをコントロールすることが可能となり、しかも、カード２を単に重力により自由落下させる極めてシンプルな構造であるため、特別なモータドライブユニット等は設けなくて済み、且つカード２を縦向きから横向きに回転させているため、上下方向の寸法も長くならず、立体駐車場の操作盤に組み込む上で、厚みや大きさの面で制約を受ける心配もなく、最適なガイド装置となる。
【００４２】
こうして、簡単な構造で且つ薄型化並びに小型化を図りつつ、カード２の返却タイミングをコントロールし得、用途を広げることができる。
【００４３】
尚、本発明の非接触型ＩＣカードリーダのガイド装置は、上述の図示例にのみ限定されるものではなく、カードの返却タイミングをコントロールする必要のあるシステムであれば、マンションにおける立体駐車場のシステムに限らず、どのようなシステムにも採用可能なこと等、その他、本発明の要旨を逸脱しない範囲内において種々変更を加え得ることは勿論である。
【図面の簡単な説明】
【００４４】
【図１】本発明を実施する形態の一例の斜視図である。
【図２】本発明を実施する形態の一例の正断面図である。
【図３】本発明を実施する形態の一例の側面図であって、図２のＩＩＩ−ＩＩＩ矢視相当図である。
【図４】本発明を実施する形態の一例の平面図であって、図２のＩＶ−ＩＶ矢視相当図である。
【符号の説明】
【００４５】
１  ケース
２  カード
３  カード挿入口
４  カード読取部
５  カード返却タイミング制御手段
６  カード排出口
７  カード返却部
１１  固定支承ピン
１２  可動支承ピン
１３  可動支承ピン切換駆動装置
１４  支承用弾性部材
１５  支承用ソレノイド
１６  カード挿入規制手段
１７  可動挿入規制ピン
１８  可動挿入規制ピン切換駆動装置
１９  挿入規制用弾性部材
２０  挿入規制用ソレノイド
【図１】
2005352741.tif 000003
【図２】
2005352741.tif 000004
【図３】
2005352741.tif 000005
【図４】
2005352741.tif 000006